(57)【要約】【課題】サブフィールド毎に複数の放電セルを選択的に放電させて画像を階調表示する表示パネルを有する画像表示装置において、階調表現数を増やすことを可能とする。【解決手段】１フィールドを時間的に複数に分割したサブフィールド毎に複数の放電セル１０を選択的に放電させて画像を階調表示するＰＤＰ６を有する画像表示装置において、ＰＤＰ６の選択された放電セル１０に駆動パルスを印加することによって、第１の放電を発生させた後に第２の放電を発生させるＹ電極駆動回路４およびＸ電極駆動回路５と、Ｙ電極駆動回路４およびＸ電極駆動回路５を制御するＳＦ生成回路２と、サブフィールド毎に、１つの駆動パルスに対して第１の放電のみ発生させる場合と、１つの駆動パルスに対して第１および第２の放電を発生させる場合との切り替えを行う回収率切替回路２２とを有する。【選択図】図１
2009128469.tif 000002
【特許請求の範囲】
【請求項１】
１フィールドを時間的に複数に分割したサブフィールド毎に複数の放電セルを選択的に放電させて画像を階調表示する表示パネルを有する画像表示装置において、
前記表示パネルの選択された放電セルに駆動パルスを印加することによって、第１の放電を発生させた後に第２の放電を発生させる駆動手段と、
前記駆動手段を制御する制御手段と、
１つの駆動パルスに対して第１の放電のみ発生させる場合と、１つの駆動パルスに対して第１および第２の放電を発生させる場合との切り替えを行う選択手段とを有し、
前記選択手段は、１つの駆動パルスに対して第１の放電のみ発生させる場合と、１つの駆動パルスに対して第１および第２の放電を発生させる場合との切り替えを、サブフィールド毎に行うことを特徴とする画像表示装置。
【請求項２】
請求項１記載の画像表示装置において、
前記選択手段は、１つの駆動パルスに対して第１の放電のみ発生させる場合と、１つの駆動パルスに対して第１および第２の放電を発生させる場合との切り替えを、該画像表示装置に入力される映像信号の階調分布に応じてサブフィールド毎に行うことを特徴とする画像表示装置。
【請求項３】
請求項２記載の画像表示装置において、
前記選択手段は、該画像表示装置に入力される映像信号の階調分布が低階調側である場合における放電回数の少ない側のサブフィールドについては、１つの駆動パルスに対して第１の放電のみ発生させ、それ以外のサブフィールドについては、１つの駆動パルスに対して第１および第２の放電を発生させるように切り替えることを特徴とする画像表示装置。
【請求項４】
請求項２記載の画像表示装置において、
前記選択手段は、該画像表示装置に入力される映像信号の階調分布が低階調側である場合における放電回数の少ない側のサブフィールドについては、１つの駆動パルスに対して第１の放電のみ発生させる場合と、１つの駆動パルスに対して第１および第２の放電を発生させる場合とをフィールド単位で切り替え、それ以外のサブフィールドについては、１つの駆動パルスに対して第１および第２の放電を発生させるように切り替えることを特徴とする画像表示装置。
【請求項５】
請求項２記載の画像表示装置において、
該画像表示装置に入力される映像信号の階調分布をヒストグラムとして検出するヒストグラム検出手段を有することを特徴とする画像表示装置。
【請求項６】
請求項１記載の画像表示装置において、
前記選択手段は、１つの駆動パルスに対して第１の放電のみ発生させる場合と、１つの駆動パルスに対して第１および第２の放電を発生させる場合との切り替えを、駆動パルス毎に行うことを特徴とする画像表示装置。
【請求項７】
１フィールドを時間的に複数に分割したサブフィールド毎に複数の放電セルを選択的に放電させて画像を階調表示する表示パネルを有する画像表示装置の駆動方法であって、
前記表示パネルの選択された放電セルに駆動パルスを印加することによって放電を発生させる際に、１つの駆動パルスに対して第１の放電のみ発生させる場合と、１つの駆動パルスに対して第１および第２の放電を発生させる場合とを、サブフィールド毎に切り替えることを特徴とする画像表示装置の駆動方法。
【請求項８】
請求項７記載の画像表示装置の駆動方法において、
１つの駆動パルスに対して第１の放電のみ発生させる場合と、１つの駆動パルスに対して第１および第２の放電を発生させる場合との切り替えを、該画像表示装置に入力される映像信号の階調分布に応じてサブフィールド毎に行うことを特徴とする画像表示装置の駆動方法。
【請求項９】
請求項８記載の画像表示装置の駆動方法において、
該画像表示装置に入力される映像信号の階調分布が低階調側である場合における放電回数の少ない側のサブフィールドについては、１つの駆動パルスに対して第１の放電のみ発生させ、それ以外のサブフィールドについては、１つの駆動パルスに対して第１および第２の放電を発生させるように切り替えることを特徴とする画像表示装置の駆動方法。
【請求項１０】
請求項８記載の画像表示装置の駆動方法において、
該画像表示装置に入力される映像信号の階調分布が低階調側である場合における放電回数の少ない側のサブフィールドについては、１つの駆動パルスに対して第１の放電のみ発生させる場合と、１つの駆動パルスに対して第１および第２の放電を発生させる場合とをフィールド単位で切り替え、それ以外のサブフィールドについては、１つの駆動パルスに対して第１および第２の放電を発生させるように切り替えることを特徴とする画像表示装置の駆動方法。
【請求項１１】
請求項８記載の画像表示装置の駆動方法において、
該画像表示装置に入力される映像信号の階調分布をヒストグラムとして検出することを特徴とする画像表示装置の駆動方法。
【請求項１２】
請求項７記載の画像表示装置の駆動方法において、
１つの駆動パルスに対して第１の放電のみ発生させる場合と、１つの駆動パルスに対して第１および第２の放電を発生させる場合との切り替えを、駆動パルス毎に行うことを特徴とする画像表示装置の駆動方法。
【発明の詳細な説明】
【技術分野】
【０００１】
本発明は、プラズマディスプレイパネル（Plasma Display Panel：以下、ＰＤＰと称する）等を用いた画像表示装置における高画質化に適用して有効な技術に関するものである。
【背景技術】
【０００２】
近年、ＰＤＰを用いたプラズマテレビ（ＰＤＰ−ＴＶ）が大画面テレビ市場で急速に普及している。
【０００３】
ＰＤＰの発光の原理は、Ｘ、Ｙ電極間に印加する駆動パルスであるサステインパルスによって放電セルにおいて維持放電を起こし、励起された放電ガスから発生する紫外線を蛍光体によって可視光に変換するというものである。ＰＤＰで階調表現をする場合、１フィールドを複数のサブフィールドに時間的に分割し、各サブフィールドに重み付けされた値に応じた回数のサステインパルスが印加されることにより、パルス数に応じた明るさ（輝度）で放電セルが発光する。
【０００４】
各サブフィールドは、リセット期間、アドレス期間、サステイン期間に分離される。リセット期間において各サブフィールドのリセット処理が行われ、アドレス期間において点灯される放電セルを選択するためのアドレス放電が行われ、サステイン期間においてサステインパルスによる表示のための維持放電が行われる。
【０００５】
従来の放電セルの駆動方法では、１つのサステインパルスに対して放電セルを１度だけ放電させ、次のサステインパルスが印加されるまで放電を停止させている。この１回の放電では、放電に必要な電流が十分供給されるが、放電電流に対して紫外線が飽和し、さらに紫外線に対しても可視光強度が飽和するため、放電電流を大きくしても輝度はほとんど増加しない。
【０００６】
また、輝度の飽和が発生しないような低い電流レベルで放電セルを駆動すると、放電自体が不安定となり、繰り返し安定に放電を行うことができない。また、ＰＤＰでは様々な画像表示のため点灯率（表示率または負荷率）を変化させる必要があり、必要な放電電流も変化する。このため、低い電流レベルで放電セルを駆動すると、放電がより不安定になる。
【０００７】
放電セルの点灯率が変化しても安定に放電を繰り返し行うとともに発光効率を向上させる技術としては、特開２００２−１３２２１５号（特許文献１）に開示されている技術がある。特許文献１に開示されている技術では、Ｙ電極に２段階の電圧を印加して、第１の放電を発生させた後に第２の放電を発生させる。さらに、点灯率に応じてサステインパルスが再び立ち上がるタイミングを変化させ、また、サステインパルスの周期を変化させる。また、点灯率に応じてサステインパルスの波形を変化させる際の輝度連続性を保つために、パルス数を微妙に増減させる。
【０００８】
ここで、第１の放電は、ＰＤＰの容量電流をコンデンサに回収、放出する電力回収回路に含まれるコイルのインダクタンスとパネル容量とによるＬＣ共振を利用する。すなわち、第１の放電は、このＬＣ共振により電圧が上昇して極大値から極小値へ降下する過程で発生する。電圧が極大値から極小値に降下する過程で、第１の放電が弱まり始めた瞬間から電流制限により紫外線放出量の飽和が緩和され始め、その後、放電電流に対する紫外線の飽和が少なくなるために発光効率が向上する。
【特許文献１】特開２００２−１３２２１５号公報（図４）
【発明の開示】
【発明が解決しようとする課題】
【０００９】
ＰＤＰを用いた画像表示装置では、サブフィールドの分割数によって階調表現数が決定される。階調表現を上げるためにはサブフィールドの分割数を増やす必要があり、そのためにはアドレス期間、サステイン期間などを短縮する必要がある。しかしながら、放電セルではパルス電圧が印加されて発光（放電）するまでには一定の時間が掛かる。これは一般的に放電遅延と呼ばれる。この放電遅延のため、リセット期間、アドレス期間、サステイン期間を短縮することは困難であった。
【００１０】
そこで本発明の目的は、サブフィールド毎に複数の放電セルを選択的に放電させて画像を階調表示する表示パネルを有する画像表示装置において、階調表現数を増やすことを可能とすることにある。
【００１１】
本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、次のとおりである。
【００１３】
本発明の代表的な実施の形態による画像表示装置は、１フィールドを時間的に複数に分割したサブフィールド毎に複数の放電セルを選択的に放電させて画像を階調表示する表示パネルを有する画像表示装置であって、前記表示パネルの選択された放電セルに駆動パルスを印加することによって、第１の放電を発生させた後に第２の放電を発生させる駆動手段と、前記駆動手段を制御する制御手段と、サブフィールド毎に、１つの駆動パルスに対して第１の放電のみ発生させる場合と、１つの駆動パルスに対して第１および第２の放電を発生させる場合との切り替えを行う選択手段とを有することを特徴とするものである。
【発明の効果】
【００１４】
本願において開示される発明のうち、代表的なものによって得られる効果を簡単に説明すれば以下のとおりである。
【００１５】
本発明の代表的な実施の形態によれば、サブフィールド単位で発光状態を切り替えることで、階調表現数を増やすことが可能となり高画質な画像が表示可能となる。
【発明を実施するための最良の形態】
【００１６】
以下、本発明の実施の形態を図面に基づいて詳細に説明する。なお、実施の形態を説明するための全図において、同一部には原則として同一の符号を付し、その繰り返しの説明は省略する。また、以下においては、画像表示装置の例としてＰＤＰを用いたプラズマディスプレイ装置について、本発明の特徴を分かり易くするために、従来の技術と比較して説明する。
【００１７】
＜概要＞
まず、従来のＰＤＰ装置の基本構成およびその駆動方法について説明する。図１１は、ＰＤＰを駆動するプラズマディスプレイ装置の基本構成を示すブロック図である。プラズマディスプレイ装置は、信号処理回路１、サブフィールド（以下ＳＦ）生成回路２、アドレス電極駆動回路３、Ｙ電極駆動回路４、Ｘ電極駆動回路５、ＰＤＰ６、Ｙ電極７、Ｘ電極８、アドレス電極９、放電セル１０で構成される。
【００１８】
信号処理回路１では、映像信号をＰＤＰ６の解像度に合わせる解像度変換が行われるほか、コントラストやブライト、ガンマ補正など、ユーザの好みに合わせた画質調整が行われる。次に、ＳＦ生成回路２では、１フィールドを複数のサブフィールドに分割し、各サブフィールドにおいて映像信号に応じて各放電セル１０の点灯、不点灯を制御するとともに、Ｙ電極駆動回路４、Ｘ電極駆動回路５の制御信号を発生する。
【００１９】
ＰＤＰ６は、サブフィールド毎に複数の放電セル１０を選択的に放電させて画像を階調表示する表示パネルであり、複数のＹ電極７、Ｘ電極８、アドレス電極９で構成される。アドレス電極９は画面の垂直方向に配列され、Ｙ電極７およびＸ電極８は画面の水平方向に配列されており、さらにＸ電極８は共通に接続されている。Ｙ電極７、Ｘ電極８、アドレス電極９の各交点には、放電セル１０が形成され、各放電セル１０が画面上の画素を構成する。アドレス電極駆動回路３は、ＰＤＰ６の複数のアドレス電極９に接続され、後述するアドレス期間において、該当するアドレス電極９に書き込みパルスを印加する。
【００２０】
Ｙ電極駆動回路４は、各Ｙ電極７ごとに設けられた後述する駆動回路を備え、その各駆動回路がＹ電極７に接続され、アドレス期間においてＹ電極７に書き込みパルスを順に印加する。これにより、該当する放電セル１０においてアドレス放電が行われる。また、Ｙ電極駆動回路４は、後述するサステイン期間において、Ｙ電極７に周期的な駆動パルスであるサステインパルスを同時に印加する。一方、Ｘ電極駆動回路５は、Ｘ電極８に接続され、サステイン期間においてＸ電極８に、各Ｙ電極７のサステインパルスに対して１８０°位相のずれたサステインパルスを同時に印加する。これにより、該当する放電セル１０おいて維持放電が行われ、映像が表示される。
【００２１】
図１２は、従来のＰＤＰ装置における階調表示方式を示した図である。ＰＤＰで階調表示する場合、１フィールド（１／６０秒≒１６．６７ｍｓ）を複数のサブフィールドに時間的に分割する。例えば、８ビットで２５６階調表示を行う場合には、１フィールドを８つのサブフィールドＳＦ１〜ＳＦ８に分割する。また、各サブフィールドＳＦ１〜ＳＦ８は、それぞれリセット期間、アドレス期間、サステイン期間に分離される。リセット期間において各サブフィールドのリセット処理が行われ、アドレス期間において点灯される放電セル１０を選択するためのアドレス放電が行われ、サステイン期間において表示のための維持放電が行われる。
【００２２】
リセット期間においては、Ｙ電極７にそれぞれ単一パルスが加えられ、Ｘ電極８にも単一パルスが加えられる。これにより予備放電が行われる。アドレス期間においては、Ｙ電極７が順次走査され、アドレス電極９からパルスを受けた放電セル１０だけに所定の書き込み処理が行われる。これによりアドレス放電が行われる。
【００２３】
サステイン期間においては、各サブフィールドＳＦ１〜ＳＦ８に重み付けされた値に応じた数のサステインパルスがＹ電極７およびＸ電極８へ出力される。例えば、図１２において、サブフィールドＳＦ１では、Ｙ電極７にサステインパルスが１回印加され、Ｘ電極８にサステインパルスが１回印加され、アドレス期間において選択された放電セル１０が２回維持放電を行う。また、サブフィールドＳＦ４では、Ｙ電極７にサステインパルスが４回印加され、Ｘ電極８にサステインパルスが４回印加され、アドレス期間において選択された放電セル１０が８回維持放電を行う。
【００２４】
上記のように、各サブフィールドＳＦ１〜ＳＦ８では、Ｙ電極７およびＸ電極８にそれぞれ１回、２回、４回、８回、１６回、３２回、６４回、１２８回のサステインパルスが印加され、パルス数に応じた明るさ（輝度）で放電セル１０が発光する。すなわち、サステイン期間は、アドレス期間で選択された放電セル１０が明るさの重み付け量に応じた回数で放電する期間である。    
【００２５】
このように、サブフィールドＳＦ１〜ＳＦ８では、それぞれ１、２、４、８、１６、３２、６４、１２８の明るさの重み付けがなされ、これらのサブフィールドＳＦ１〜ＳＦ８を組み合わせることにより、明るさのレベルを０〜２５５までの２５６段階で調整することができる。なお、サブフィールドの分割数および重み付け値等は、上記の例に特に限定されず、種々の変更が可能である。例えば、動画疑似輪郭を低減するために、サブフィールドＳＦ８を二つに分割して二つのサブフィールドの重み付け値を６４に設定してもよい。
【００２６】
＜実施の形態１＞
以下に、本発明の実施の形態１であるプラズマディスプレイ装置について説明する。図１は、本実施の形態のプラズマディスプレイ装置の基本構成を示すブロック図である。前述の図１１の基本構成に対応する部分には同一符号を付している。本実施の形態のプラズマディスプレイ装置の特徴は、映像信号のヒストグラムを検出し、それに応じてサブフィールド単位で発光状態を切り替えることで、階調表現数を増やすことにある。
【００２７】
ＰＤＰ装置の基本駆動方式は、前述した従来のＰＤＰ装置の例と同じであるため省略する。異なる点は、ＳＦ生成回路２がヒストグラム検出回路２１と回収率切替回路２２を有するところである。以下に、ヒストグラム検出回路２１と回収率切替回路２２の動作について図２〜図５を用いて説明する。
【００２８】
図２は、ＳＦ生成回路２と、これにより制御されるＹ電極駆動回路４の構成例を示した図である。Ｙ電極駆動回路４は、ＰＤＰ６の選択された放電セル１０に第１の放電を発生させた後に第２の放電を発生させる駆動手段であり、スイッチ４１、４２、４３、４４、ダイオード４５、４６、回収コンデンサ４７および回収コイル４８で構成される。
【００２９】
また、ＳＦ生成回路２は、Ｙ電極駆動回路４およびＸ電極駆動回路５を制御する制御手段であり、回収率切替回路２２、ヒストグラム検出回路２１で構成される。さらに、回収率切替回路２２は、１つのサステインパルスに対して第１の放電のみ発生させる場合と、１つのサステインパルスに対して第１および第２の放電を発生させる場合との切り替えを行う選択手段であり、回収幅１設定回路２３、回収幅２設定回路２４、スイッチ２５で構成される。
【００３０】
まずＹ電極駆動回路４の動作について説明する。スイッチ４３は、電源端子ＶｓとノードＮ１との間に接続され、スイッチ４４は、ノードＮ１と接地端子との間に接続されている。ノードＮ１はＹ電極７に接続される。Ｙ電極７の先には、複数のＹ電極７とＸ電極８との間の全容量に相当するパネル容量Ｃｐが示されている。回収コンデンサ４７は、ノードＮ３と接地端子との間に接続されている。ノードＮ３とノードＮ２との間には、スイッチ４１およびダイオード４５が直列に接続され、さらにダイオード４６およびスイッチ４２も直列に接続されている。回収コイル４８は、ノードＮ２とノードＮ１との間に接続されている。
【００３１】
図３は、図２のＹ電極駆動回路４におけるサステイン期間の動作を示すタイミング図である。まず、スイッチ４１がオンし、スイッチ４４がオフする。このとき、スイッチ４２、４３はオフしている。これにより、回収コイル４８およびパネル容量ＣｐによるＬＣ共振により、ノードＮ１の電圧が緩やかに上昇する。なお、スイッチ４１がオンしている期間を回収幅１とする。回収幅１の時間は回収幅１設定回路２３により定義されている。
【００３２】
次に、スイッチ４１がオフし、スイッチ４３がオンする。これにより、ノードＮ１の電圧が急激に上昇し、ノードＮ１の電圧がＶｓに固定され、電源端子Ｖｓから供給される放電電流により維持放電が１回発生する。次に、スイッチ４３がオフし、スイッチ４２がオンする。これにより、回収コイル４８およびパネル容量ＣｐによるＬＣ共振により、ノードＮ１の電圧が緩やかに降下する。その後、スイッチ４２がオフし、スイッチ４４がオンする。これにより、ノードＮ１の電圧が急激に降下し、接地電位に固定される。
【００３３】
図４は、図２のＹ電極駆動回路４におけるサステイン期間の別の動作を示すタイミング図である。スイッチ４１〜４４の基本動作は、図３における説明で前述したものと同様であるが、スイッチ４１がオンしている期間が図３の場合より長く、回収幅２となっている。回収幅２の時間は回収幅２設定回路２４により定義されている。
【００３４】
スイッチ４１がオンし、回収コイル４８およびパネル容量ＣｐによるＬＣ共振により、ノードＮ１の電圧が緩やかに上昇するが、回収幅２が図３の回収幅１より長くなっているため放電開始電圧を越え、放電セル１０において第１の維持放電が発生する。その後、第１の維持放電がある程度大きくなり、必要とされる放電電流が回収コンデンサ４７と回収コイル４８で構成される回路の電流供給能力を越えると、ノードＮ１の電圧が降下し、第１の維持放電が弱まる。
【００３５】
次に、スイッチ４１がオフし、スイッチ４３がオンする。これにより、ノードＮ１の電圧が上昇し、再び放電開始電圧を越えると、放電セル１０において第２の維持放電が発生する。第２の維持放電時には、第１の維持放電により放電空間に残留する荷電粒子および励起原子等のプライミング効果により放電し易い状態となり、第２の維持放電を安定に行うことができる。このように、スイッチ４１のオン期間を長くすることにより、放電セル１０の発光回数を２回に制御することが可能となる。
【００３６】
次に、発光回数を制御して階調表現数を動的に変更する方式について説明する。図５は、サブフィールド毎に発光回数を制御するパターンの例を示した図である。ここでは、表示映像の階調分布状態で制御を分けている。ここで、階調分布とは、表示映像の各画素の輝度が階調（例えば８ビットでの２５６階調）のどの範囲にあるかの分布を表したものである。本実施の形態では、階調分布をヒストグラム検出回路２１によりヒストグラムとして検出している。
【００３７】
図５では、表示映像の階調分布が全体的に低い場合を「低階調側画像」、高い場合を「高階調側画像」としている。例えば、映画ソースは「低階調側画像」、放送波の情報番組は「高階調側画像」が多いとされている。なお、階調分布が「低階調側」であるか「高階調側」であるかの判断基準は任意に設定することができる。
【００３８】
また、各サブフィールドで選択する回収幅に○印を付けるとともに、括弧内にその階調数を表示している。階調数はＳＦ１の回収幅２（維持放電２回）を１とし、回収幅１（維持放電１回）は階調数０．５とする。これは放電回数と輝度は略比例している関係があるためである。
【００３９】
「高階調側画像」では、階調より輝度重視とした方が高画質となると考えられるため、全サブフィールドで回収幅２（維持放電２回）を選択するようになっている。一方、「低階調側画像」では階調重視とするため、ＳＦ１〜ＳＦ３までは回収幅１（維持放電１回）を選択するようになっている。ＳＦ１で０．５の階調数を表現できるので、ＳＦ１〜ＳＦ８により実質５１２階調の表現が可能となり、映画ソースなどでなめらかな階調表現を実現できる。なお、図５の例では、ＳＦ１〜ＳＦ３までは回収幅１を選択するようになっているが、これに限られるものではない。
【００４０】
また、回収幅１、２の選択は、図２のスイッチ２５によって行うが、スイッチ２５はハードウェアである必要はなく、マイコン内のソフトウェア処理であってもよい。また、図２によってＹ電極駆動回路４の構成の例を説明したが、Ｘ電極駆動回路５も図２と同様の構成でよい。さらに、図２の構成では、ＬＣ共振による電力回収・放出により発光状態を決定していたが、これに限るものではなく、例えば、Ｖｓ電源の他に別のレベル固定電源を供給し、発光状態を制御する方式でもよい。
【００４１】
また、図５では、「低階調側画像」のＳＦ１〜３において回収幅１として固定しているが、これに限らず、「低階調側画像」の同じサブフィールドであってもフィールド毎に回収幅１と２を切り替えてもよい。図６は、同一のサブフィールドにおいて回収幅１と２とを切り替えて、発光回数を制御するパターンの例を示した図である。同一のサブフィールドにおいて一連のフィールドにおける回収幅１と２の使用比率を動的に切り替えることで、一連の「低階調側画像」において、例えば図６の例ではＳＦ１で０．５から１の間の階調数を表現することも可能となり、実質５１２階調以上の階調表現も可能となる。ＳＦ１以外についても同様である。
【００４２】
また、本実施の形態では、回収幅１と回収幅２をサブフィールド毎に切り替え、サブフィールド内における全てのサステインパルスについて同じ回収幅を用いているが、回収幅１と回収幅２をサブフィールド内のサステインパルス毎に切り替えるように制御することも可能である。
【００４３】
図７は、回収幅の切り替えによる維持放電の例を示した図である。例えばサブフィールド内の４つのサステインパルスに対して、当該サブフィールドにおいて回収幅１を選択した場合（ａ）は、全てのサステインパルスに対応して１回の維持放電が行われ、当該サブフィールドにおいて回収幅２を選択した場合（ｂ）は、全てのサステインパルスに対応して２回の維持放電が行われる。
【００４４】
これに対し、当該サブフィールド内のサステインパルス毎に回収幅１と回収幅２を切り替えた場合（ｃ）は、サステインパルス毎に維持放電の回数が１回のものと２回のものとを混在させることができる。これにより、さらにきめ細かい階調表現も可能となる。なお、サブフィールド内における回収幅１と回収幅２との使用比率は図７に示した例に限られず、種々のパターンとすることができる。
【００４５】
以上に説明したように、本実施の形態のプラズマディスプレイ装置によれば、ヒストグラム検出回路２１により検出した映像信号のヒストグラムに基づいて、階調分布により回収率切替回路２２にてサブフィールド毎またはサステインパルス毎に回収幅１と回収幅２とを動的に切り替える。これにより、１つのサステインパルスに対して第１の維持放電のみ発生させる場合と第１および第２の維持放電を発生させる場合とを切り替え、映像信号の階調分布に応じて発光状態を切り替えることで階調表現数を増やすことが可能となり、高画質な画像が表示可能となる。
【００４６】
＜実施の形態２＞
以下に、本発明の実施の形態２であるプラズマディスプレイ装置について説明する。本実施の形態のプラズマディスプレイ装置の基本構成を示すブロック図は、実施の形態１の図１と同様であるため説明は省略する。
【００４７】
図８は、ＳＦ生成回路２と、これにより制御されるＹ電極駆動回路４の構成例を示した図である。実施の形態１の図２におけるＳＦ生成回路２とＹ電極駆動回路４の構成に対応する部分には同一符号を付している。実施の形態１の図２における構成との相違点は、回収率切替回路２２によりオンとオフの時間幅を回収幅１と回収幅２とで切り替える対象となるスイッチが、スイッチ４１ではなくスイッチ４３となっている点である。
【００４８】
図９は、図８のＹ電極駆動回路４におけるサステイン期間の動作を示すタイミング図である。スイッチ４１〜４４の基本動作は、実施の形態１の図３における説明で前述したものとほぼ同様である。相違点は、回収幅１がスイッチ４１がオンしている期間ではなく、スイッチ４１がオンしてからスイッチ４３がオンとなるまでの期間となっており、スイッチ４３がオンとなってもスイッチ４１が連動してオフとはならない点である。スイッチ４１がオンしている期間は、回収幅１よりも長い所定の期間となっている。これにより、ノードＮ１の電圧の波形および発光波形としては実施の形態１の図３と同様のものを得ることができる。
【００４９】
また、図１０は、図８のＹ電極駆動回路４におけるサステイン期間の別の動作を示すタイミング図である。これについても同様に、回収幅２がスイッチ４１がオンしている期間ではなく、スイッチ４１がオンしてからスイッチ４３がオンとなるまでの期間となっており、スイッチ４３がオンとなってもスイッチ４１が連動してオフとはならない点である。スイッチ４１がオンしている期間は、回収幅２よりも長い所定の期間となっている。これにより、ノードＮ１の電圧の波形および発光波形としては実施の形態１の図４と同様のものを得ることができる。
【００５０】
以上に説明したように、本実施の形態のプラズマディスプレイ装置によれば、回収幅１もしくは回収幅２の経過によりスイッチ４１のオフとスイッチ４３のオンとが連動しないような構成であっても、スイッチ４３がオンとなるタイミングの制御のみによって、実施の形態１の場合と同様の効果を得ることが可能となる。
【００５１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００５２】
本発明は、プラズマディスプレイパネル等を用いた画像表示装置に利用可能である。
【図面の簡単な説明】
【００５３】
【図１】本発明の実施の形態１であるプラズマディスプレイ装置の基本構成を示すブロック図である。
【図２】本発明の実施の形態１におけるＳＦ生成回路と、Ｙ電極駆動回路の構成例を示した図である。
【図３】本発明の実施の形態１におけるＹ電極駆動回路におけるサステイン期間の動作を示すタイミング図である。
【図４】本発明の実施の形態１におけるＹ電極駆動回路におけるサステイン期間の別の動作を示すタイミング図である。
【図５】本発明の実施の形態１におけるサブフィールド毎に発光回数を制御するパターンの例を示した図である。
【図６】本発明の実施の形態１における同一のＳＦにおいて回収幅１と２とを切り替えて、発光回数を制御するパターンの例を示した図である。
【図７】本発明の実施の形態１における回収幅の切り替えによる維持放電の例（ａ）、（ｂ）、（ｃ）を示した図である。
【図８】本発明の実施の形態２におけるＳＦ生成回路と、Ｙ電極駆動回路の構成例を示した図である。
【図９】本発明の実施の形態２におけるＹ電極駆動回路におけるサステイン期間の動作を示すタイミング図である。
【図１０】本発明の実施の形態２におけるＹ電極駆動回路におけるサステイン期間の別の動作を示すタイミング図である。
【図１１】従来のＰＤＰを駆動するプラズマディスプレイ装置の基本構成を示すブロック図である。
【図１２】従来のＰＤＰ装置における階調表示方式を示した図である。
【符号の説明】
【００５４】
１…信号処理回路、２…サブフィールド（ＳＦ）生成回路、３…アドレス電極駆動回路、４…Ｙ電極駆動回路、５…Ｘ電極駆動回路、６…ＰＤＰ、７…Ｙ電極、８…Ｘ電極、９…アドレス電極、１０…放電セル、２１…ヒストグラム検出回路、２２…回収率切替回路、
２３…回収幅１設定回路、２４…回収幅２設定回路、２５…スイッチ、４１…スイッチ、４２…スイッチ、４３…スイッチ、４４…スイッチ、４５…ダイオード、４６…ダイオード、４７…回収コンデンサ、４８…回収コイル。
【図１】
2009128469.tif 000003
【図２】
2009128469.tif 000004
【図３】
2009128469.tif 000005
【図４】
2009128469.tif 000006
【図５】
2009128469.tif 000007
【図６】
2009128469.tif 000008
【図７】
2009128469.tif 000009
【図８】
2009128469.tif 000010
【図９】
2009128469.tif 000011
【図１０】
2009128469.tif 000012
【図１１】
2009128469.tif 000013
【図１２】
2009128469.tif 000014